(57)【特許請求の範囲】
【請求項１】
スプール孔が形成された弁本体と、
前記スプール孔に挿入されたスプールと、を備え、
前記弁本体は、
前記スプール孔に開口し、第１ポンプに接続される第１アンロード通路と、
前記スプール孔に開口し、第２ポンプに接続される第２アンロード通路と、
前記スプール孔に直接的に開口せず、前記第１ポンプに接続可能な第１供給通路と、
前記スプール孔に直接的に開口せず、前記第２ポンプに接続可能な第２供給通路と、
前記スプール孔に開口し、アクチュエータに接続されるアクチュエータ通路と、
前記スプール孔に開口するブリッジ通路と、
前記第１供給通路と前記ブリッジ通路とを接続する第１パラレル通路を形成可能な第１パラレル用領域と、
前記第２供給通路と前記ブリッジ通路とを接続する第２パラレル通路を形成可能な第２パラレル用領域と、
前記第１アンロード通路と前記ブリッジ通路とを接続する第１タンデム通路を形成可能な第１タンデム用領域と、
前記第２アンロード通路と前記ブリッジ通路とを接続する第２タンデム通路を形成可能な第２タンデム用領域と、を有し、
前記ブリッジ通路は、両端部を前記スプール孔に開口するＵ字状であり、
一つの前記ブリッジ通路と前記スプール孔との間に、前記第１パラレル用領域と前記第１タンデム用領域とが隣り合って位置し、前記第２パラレル用領域と前記第２タンデム用領域とが隣り合って位置し、
前記スプールは、その位置によって、前記ブリッジ通路と前記アクチュエータ通路との接続および遮断を切り換える、方向切換弁。
【発明の詳細な説明】
【技術分野】
【０００１】
本発明は、方向切換弁に関する。
【背景技術】
【０００２】
従来より、２つのポンプから１つのアクチュエータに油が供給される油圧回路がある（特許文献１および特許文献２など）。例えば、特許文献１に記載の油圧回路は、第１のポンプ（１０）の吐出油をアクチュエータに供排する第１系統の方向切換弁（３２、３４Ａ，３４Ｂ、３４Ｃ、３４Ｄ）と、第２のポンプ（１２）の吐出油をアクチュエータに供排する第２系統の方向切換弁（４２、４４Ａ、４４Ｂ、４４Ｃ）と、を備える。この油圧回路では、ブーム用シリンダ（２４Ｂ）に、第１のポンプ（１０）および第２のポンプ（１２）の吐出油が供給される。ブーム用シリンダ（２４Ｂ）には、第１系統の方向切換弁（３４Ｃ）と、第２系統の方向切換弁（４４Ｂ）と、が接続される。また、アーム用シリンダ（２４Ｃ）には、第１のポンプ（１０）および第２のポンプ（１２）の吐出油が供給される。アーム用シリンダ（２４Ｃ）には、第１系統の方向切換弁（３４Ｄ）と、第２系統の方向切換弁（４４Ｃ）と、が接続される。
【先行技術文献】
【特許文献】
【０００３】
【特許文献１】特開平１０−１８３６０号公報
【特許文献２】特開２０１３−２３８２９１号公報
【発明の概要】
【発明が解決しようとする課題】
【０００４】
上記のように、従来技術では、２つのポンプから１つのアクチュエータに油を供給するために、１つのアクチュエータに対して２つの方向切換弁が接続される。すなわち、１つのポンプから１つのアクチュエータへ油を供給するために、１つの方向切換弁が使用される。このような構成は、例えば油圧回路の仕様によっては、望ましい場合もある。
【０００５】
しかしながら、上記の構成では、方向切換弁の製造コストがかかる。よって、２つのポンプから１つのアクチュエータへの油の供給を、一つの方向切換弁で行うことが望まれる場合もある。このような構成を実現した場合には、油圧回路内で使用される方向切換弁の数を減らすことができるため、製造コストを抑制できるという利点がある。
【０００６】
このように、油圧回路においては、例えばその仕様などによって、ポンプからアクチュエータへの油の供給態様に対する要望が異なることがある。
【０００７】
そこで、１つの方向切換弁において、１つのポンプから１つのアクチュエータに油を供給するための通路パターンや、２つのポンプから１つのアクチュエータに油を供給するための通路パターンなどを、選択的に形成することが可能であれば、油圧回路の製造を、非常に有利に実施することが可能となる。
【０００８】
本発明は上記実情を考慮してなされたものであり、ポンプからアクチュエータに油を供給するための複数種類の通路パターンを、選択的に形成できる方向切換弁を提供することを目的とする。
【課題を解決するための手段】
【０００９】
本発明の方向切換弁は、スプール孔が形成された弁本体と、前記スプール孔に挿入されたスプールと、を備える。前記弁本体は、前記スプール孔に開口し、第１ポンプに接続される第１アンロード通路と、前記スプール孔に開口し、第２ポンプに接続される第２アンロード通路と、前記スプール孔に直接的に開口せず、前記第１ポンプに接続可能な第１供給通路と、前記スプール孔に直接的に開口せず、前記第２ポンプに接続可能な第２供給通路と、前記スプール孔に開口し、アクチュエータに接続されるアクチュエータ通路と、前記スプール孔に開口するブリッジ通路と、前記第１供給通路と前記ブリッジ通路とを接続する第１パラレル通路を形成可能な第１パラレル用領域と、前記第２供給通路と前記ブリッジ通路とを接続する第２パラレル通路を形成可能な第２パラレル用領域と、前記第１アンロード通路と前記ブリッジ通路とを接続する第１タンデム通路を形成可能な第１タンデム用領域と、前記第２アンロード通路と前記ブリッジ通路とを接続する第２タンデム通路を形成可能な第２タンデム用領域と、を有する。前記スプールは、その位置によって、前記ブリッジ通路と前記アクチュエータ通路との接続および遮断を切り換える。
【発明の効果】
【００１０】
本発明によれば、ポンプからアクチュエータに油を供給するための複数種類の通路パターンを、選択的に形成できる。
【図面の簡単な説明】
【００１１】
【図１】本発明の一実施の形態にかかる方向切換弁の側面図である。
【図２】図１の方向切換弁の縦断面図である。
【図３】（Ａ）は、図１および図２に示すＩＩＩＡ−ＩＩＩＡ線に沿う断面図である。（Ｂ）は、図１および図２に示すＩＩＩＢ−ＩＩＩＢ線に沿う断面図である。
【図４】図１および図２に示すＩＶ−ＩＶ線に沿う断面図である。
【図５】図１の方向切換弁の回路図である。
【図６】通路パターンが形成された図１の方向切換弁が複数適用された建設機械用油圧回路を示す図である。
【図７】図６の油圧回路に含まれる、図１の方向切換弁の一例の側面図である。
【図８】図７の方向切換弁の縦断面図である。
【図９】（Ａ）は、図７および図８に示すＩＸＡ−ＩＸＡ線に沿う断面図である。（Ｂ）は、図７および図８に示すＩＸＢ−ＩＸＢ線に沿う断面図である。
【発明を実施するための形態】
【００１２】
以下、本発明の一実施の形態について図面を参照して説明する。
【００１３】
図１乃至図５に示す本実施の形態にかかる方向切換弁３０は、スプール孔３３が形成された弁本体３１と、スプール孔３３に挿入されたスプール８０と、複数の通路（４１，４２，４５，５１，５２，５３，６１，６２（以下、（４１〜６２）と記す。））と、通路（１０１，１０２，３０１，３０２）を形成可能な複数の領域（２０１，２０２，４０１，４０２）と、チェック弁又は盲栓を設けるための規制部材設置部（７０１〜７０４）を形成可能な複数の領域（７１１〜７１４）と、を備える。
【００１４】
説明の便宜上、通路（１０１，１０２，３０１，３０２）を形成可能な複数の領域（２０１，２０２，４０１，４０２）のうちの通路（２０１，２０２）は、図２において、二点鎖線で囲まれている。通路（４０１，４０２）は、図１乃至図３において、二点鎖線で囲まれている。図５において領域（２０１，２０２，４０１，４０２）に対応する部分は、二点鎖線で示されている。また、規制部材設置部（７０１〜７０４）を形成可能な複数の領域（７１１〜７１４）のうちの領域（７１１，７１２）は、図２において、一点鎖線で囲まれている。領域（７１３，７１４）は、図３において、一点鎖線で囲まれている。
【００１５】
この方向切換弁３０は、建設機械用油圧回路（図示なし）に適用される方向切換弁である。方向切換弁３０は、建設機械用油圧回路において、ポンプ（図示せず）とアクチュエータ（図示）とに接続され、アクチュエータに対して油を供排（供給および排出）するための弁である。
【００１６】
上記の領域（２０１，２０２，４０１，４０２）において形成可能な通路（１０１，１０２，３０１，３０２）は、ポンプの吐出油を、アクチュエータに供給するための通路である。この方向切換弁３０は、複数の領域（２０１，２０２，４０１，４０２）の少なくともいずれかにおいて通路（１０１，１０２，３０１，３０２）が形成された場合に、アクチュエータに対して油を供排（供給および排出）することが可能となる。
【００１７】
すなわち、図１乃至図５に示す方向切換弁３０は、油圧回路に適用されて適切に油を切り換える方向切換弁を製造するための中間体（ベース体あるいはベース部材）とも言える。この方向切換弁３０は、上記のような複数の領域（２０１，２０２，４０１，４０２）を備えることにより、ポンプからアクチュエータに供給するための複数種類の通路パターンを、選択的に形成することが可能となっている。
【００１８】
方向切換弁３０が接続されるアクチュエータは、建設機械を作動させる油圧アクチュエータである。この方向切換弁３０が接続可能なアクチュエータの種類には、油圧モータと、油圧シリンダと、がある。方向切換弁３０が接続されるアクチュエータは、第１ポートと、第２ポートと、を備えるアクチュエータである。第１ポートおよび第２ポートのそれぞれは、アクチュエータに対する油の供排口（供給口および排出口）である。このようなアクチュエータは、第１ポートに油が供給され、かつ、第２ポートから油が排出されることにより、一方側に作動する。具体的には例えば、油圧シリンダが伸びる、また例えば、油圧モータが一方側に回転する。第２ポートに油が供給され、かつ、第１ポートから油が排出されることにより、アクチュエータは他方側（上記「一方側」とは逆側）に作動する。具体的には例えば、油圧シリンダが縮む、また例えば、油圧モータが他方側に回転する。方向切換弁３０は、このようなアクチュエータに後述するアクチュエータ通路（６１・６２）を介して接続されることが想定されている。
【００１９】
この方向切換弁３０は、スプール孔３３に対するスプール８０の位置（ストローク位置）に応じて、油の方向などを変えるスプール弁である。方向切換弁３０は、スプール８０のストローク位置に応じて、切換位置を切り換える。方向切換弁３０の切換位置には、中立位置３０ａ（図２、図４および図５に示す位置）と、中立位置３０ａから図中の右側に移動した第１作動位置３０ｂ（図５参照）と、中立位置３０ａから図中の左側に移動した第２作動位置３０ｃ（図５参照）と、がある。
【００２０】
弁本体３１は、スプール孔３３、通路（４１〜６２）、領域（２０１，２０２，４０１，４０２）および領域（７１１〜７１４）が形成される部分である。弁本体３１は、ブロック状（塊状）である。
【００２１】
スプール孔３３は、弁本体３１（の内部）に形成される。スプール孔３３は、スプール８０を差し込み可能な孔である。スプール８０は、着脱可能に、スプール孔３３に挿入される。
【００２２】
複数の通路（４１〜６２）の各々は、油が流れる流路（油路、配管）である。複数の通路（４１〜６２）の各々は、弁本体３１（の内部）に形成される。複数の通路（４１〜６２）のうちの通路（４１，４２，４５，５３，６１，６２）は、スプール孔３３に開口する。スプール孔３３に開口する通路（４１，４２，４５，５３，６１，６２）のスプール孔３３への開口は、例えばスプール孔３３の周方向に延びる。複数の通路（４１〜６２）のうちの通路（４１，４２，４５，６１，６２）は、弁本体３１の外部と連通するように、弁本体３１の表面に開口する。また、複数の通路（４１〜６２）のうちの通路（５１，５２）も、弁本体３１の外部と連通するように、弁本体３１の表面に開口する。複数の通路（４１〜６２）には、アンロード通路（４１・４２）と、タンク通路４５と、供給通路（５１・５２）と、ブリッジ通路５３と、アクチュエータ通路（６１・６２）と、がある。
【００２３】
アンロード通路（４１・４２）は、ポンプの吐出油を、アクチュエータに供給せずに、タンクに戻すための通路（バイパス通路）である。但し、例えばアンロード通路（４１・４２）から他の通路が分岐する場合（図示なし）は、アンロード通路（４１・４２）からアクチュエータに油が供給されてもよい。アンロード通路（４１・４２）は、２本設けられる（いわばデュアルバイパスである）。アンロード通路（４１・４２）は、第１アンロード通路４１と、第２アンロード通路４２と、を備える。
【００２４】
第１アンロード通路４１と第２アンロード通路４２とは、方向切換弁３０が油圧回路に適用された場合に、互いに異なるポンプに接続される通路である。以下、第１アンロード通路４１が接続されるポンプを第１ポンプ（図示せず）と呼ぶ。第２アンロード通路４２が接続されるポンプを第２ポンプ（図示せず）と呼ぶ。
【００２５】
第１アンロード通路４１は、第１ポンプに接続される通路である。第１アンロード通路４１は、タンクに接続される通路である。第１アンロード通路４１は、上流側第１アンロード通路４１ａと、下流側第２アンロード通路４２ｂと、を備える。上流側第１アンロード通路４１ａは、第１アンロード通路４１のうち、スプール孔３３よりも上流側（第１ポンプ側）の通路である。下流側第１アンロード通路４１ｂは、第１アンロード通路４１のうち、スプール孔３３よりも下流側（タンク側）の通路である。
【００２６】
第２アンロード通路４２は、第１アンロード通路４１が接続する第１ポンプとは異なる第２ポンプに接続される通路である。第２アンロード通路４２は、タンクに接続される通路である。第２アンロード通路４２は、上流側第２アンロード通路４２ａと、下流側第２アンロード通路４２ｂと、を備える。上流側第２アンロード通路４２ａは、第２アンロード通路４２のうち、スプール孔３３よりも上流側（第２ポンプ側）の通路である。下流側第２アンロード通路４２ｂは、第２アンロード通路４２のうち、スプール孔３３よりも下流側（タンク側）の通路である。
【００２７】
タンク通路４５は、タンク（図示せず）に接続される通路である。タンク通路４５は、アクチュエータから排出された油をタンクに戻すための通路である。
【００２８】
供給通路（５１・５２）は、ポンプの吐出油を、アクチュエータに供給するための通路である。供給通路（５１・５２）は、第１供給通路５１と、第２供給通路５２と、を備える。
【００２９】
第１供給通路５１は、ポンプに接続可能な通路である。なお、第１供給通路５１は、ポンプに接続されなくてもよい。第１供給通路５１は、スプール孔３３に直接的に開口していない。第１供給通路５１は、ポンプに接続される場合、第１アンロード通路４１が接続する第１ポンプに接続される。第１供給通路５１は、第１ポンプに接続される場合、第１ポンプの吐出油を、アクチュエータに供給するために、受け入れる。第１供給通路５１は、第１ポンプに接続される場合、第１アンロード通路４１（上流側第１アンロード通路４１ａ）に接続されてもよい。言い換えると、第１供給通路５１は、第１アンロード通路４１を介して第１ポンプに接続されてもよい。この場合、第１供給通路５１の第１アンロード通路４１への接続は、方向切換弁３０の外部で行われる。
【００３０】
第２供給通路５２は、ポンプに接続可能な通路である。なお、第２供給通路５２は、ポンプに接続されなくてもよい。第２供給通路５２は、スプール孔３３に直接的に開口していない。第２供給通路５２は、ポンプに接続される場合、第２アンロード通路４２が接続する第２ポンプに接続される。第２供給通路５２は、第２ポンプに接続される場合、第２ポンプの吐出油を、アクチュエータに供給するために、受け入れる。第２供給通路５２は、第２ポンプに接続される場合、第２アンロード通路４２（上流側第２アンロード通路４２ａ）に接続されてもよい。言い換えると、第２供給通路５２は、第２アンロード通路４２を介して第２ポンプに接続されてもよい。この場合、第２供給通路５２の第２アンロード通路４２への接続は、方向切換弁３０の外部で行われる。
【００３１】
ブリッジ通路５３は、複数の領域（２０１，２０２，４０１，４０２）の少なくともいずれかにおいて通路（１０１，１０２，３０１，３０２）が形成された場合に、第１ポンプおよび第２ポンプのうちの少なくともいずれかからの吐出油を、アクチュエータに供給するための通路である。図２に示すように、ブリッジ通路５３は、第１ブリッジ通路５３ａと、第２ブリッジ通路５３ｂと、を備える。第１ブリッジ通路５３ａは、第１ポンプおよび第２ポンプのうちの少なくともいずれかからの吐出油を、第１アクチュエータ通路６１（下記）に供給するための通路である。第２ブリッジ通路５３ｂは、第１ポンプおよび第２ポンプのうちの少なくともいずれかからの吐出油を、第２アクチュエータ通路６２（下記）に供給するための通路である。
【００３２】
アクチュエータ通路（６１・６２）は、複数の領域（２０１，２０２，４０１，４０２）の少なくともいずれかにおいて通路（１０１，１０２，３０１，３０２）が形成された場合に、第１ポンプおよび第２ポンプのうちの少なくともいずれかからの吐出油を、ブリッジ通路５３を介して、アクチュエータに供給するための通路である。アクチュエータ通路（６１・６２）は、アクチュエータに接続される。アクチュエータ通路（６１・６２）は、上述した第１アクチュエータ通路６１と、第２アクチュエータ通路６２と、を備える。
【００３３】
第１アクチュエータ通路６１は、アクチュエータの第１ポートに接続される通路である。第２アクチュエータ通路６２は、アクチュエータの第２ポートに接続される通路である。
【００３４】
領域（２０１，２０２，４０１，４０２）は、第１ポンプおよび第２ポンプのうちの少なくともいずれかの吐出油を、アクチュエータに供給するための通路（１０１，１０２，３０１，３０２）を形成するための領域である。領域（２０１，２０２，４０１，４０２）には、第１パラレル用領域２０１、第２パラレル用領域２０２、第１タンデム用領域４０１および第２タンデム用領域４０２がある。
【００３５】
第１パラレル用領域２０１は、第１供給通路５１とブリッジ通路５３とを接続する第１パラレル通路１０１を形成可能な領域である。第２パラレル用領域２０２は、第２供給通路５２とブリッジ通路５３とを接続する第２パラレル通路１０２を形成可能な領域である。
【００３６】
第１タンデム用領域４０１は、第１アンロード通路４１とブリッジ通路５３とを接続する第１タンデム通路３０１を形成可能な領域である。第１タンデム通路３０１は、第１アンロード通路４１とブリッジ通路５３とを方向切換弁３０の内部で接続するものでもよい。第１タンデム通路３０１は、第１アンロード通路４１とブリッジ通路５３とを方向切換弁３０の外部で接続するものでもよい。図５に示すように、本実施の形態では、第１タンデム通路３０１は、形成された場合に、第１アンロード通路４１とブリッジ通路５３とを方向切換弁３０の内部で接続するものである。第２タンデム用領域４０２は、第２アンロード通路４２とブリッジ通路５３とを接続する第２タンデム通路３０２を形成可能な領域である。第２タンデム通路３０２は、第２アンロード通路４２とブリッジ通路５３とを方向切換弁３０の内部で接続するものでもよい。第２タンデム通路３０２は、第２アンロード通路４２とブリッジ通路５３とを方向切換弁３０の外部で接続するものでもよい。図５に示すように、本実施の形態では、第２タンデム通路３０２は、形成された場合に、第２アンロード通路４２とブリッジ通路５３とを方向切換弁３０の外部で接続するものである。
【００３７】
第１パラレル用領域２０１に第１パラレル通路１０１が形成された場合に、ブリッジ通路５３は、第１供給通路５１に接続される。第２パラレル用領域２０２に第２パラレル通路１０２が形成された場合に、ブリッジ通路５３は、第２供給通路５２に接続される。第１パラレル用領域２０１に第１パラレル通路１０１が形成され、第２パラレル用領域２０２に第２パラレル通路１０２が形成された場合に、ブリッジ通路５３は、第１供給通路５１および第２供給通路５２に接続される。
【００３８】
第１パラレル用領域２０１に第１パラレル通路１０１が形成され、第１供給通路５１が第１ポンプに接続される場合には、ブリッジ通路５３には、第１供給通路５１を流れる油が流れることが可能となる。第２パラレル用領域２０２に第２パラレル通路１０２が形成され、第２供給通路５２が第２ポンプに接続される場合には、ブリッジ通路５３には、第２供給通路５２を流れる油が流れることが可能となる。第１パラレル用領域２０１に第１パラレル通路１０１が形成され、第１供給通路５１が第１ポンプに接続され、第２パラレル用領域２０２に第２パラレル通路１０２が形成され、第２供給通路５２が第２ポンプに接続される場合には、ブリッジ通路５３には、第１供給通路５１を流れる油と第２供給通路５２を流れる油とが合流した油が流れることが可能となる。
【００３９】
第１タンデム用領域４０１に第１タンデム通路３０１が形成された場合に、ブリッジ通路５３は、第１アンロード通路４１に接続される。第２タンデム用領域４０２に第２タンデム通路３０２が形成された場合に、ブリッジ通路５３は、第２アンロード通路４２に接続される。第１タンデム用領域４０１に第１タンデム通路３０１が形成され、第２タンデム用領域４０２に第２タンデム通路３０２が形成された場合に、ブリッジ通路５３は、第１アンロード通路４１および第２アンロード通路４２に接続される。
【００４０】
第１タンデム用領域４０１に第１タンデム通路３０１が形成される場合には、ブリッジ通路５３には、第１アンロード通路４１を流れる油が流れることが可能となる。第２タンデム用領域４０２に第２タンデム通路３０２が形成される場合には、ブリッジ通路５３には、第２アンロード通路４２を流れる油が流れることが可能となる。第１タンデム用領域４０１に第１タンデム通路３０１が形成され、第２タンデム用領域４０２に第２タンデム通路３０２が形成される場合には、ブリッジ通路５３には、第１アンロード通路４１を流れる油と第２第２アンロード通路４２を流れる油とが合流した油が流れることが可能となる。
【００４１】
また、第１パラレル用領域２０１に第１パラレル通路１０１が形成され、第１供給通路５１が第１ポンプに接続され、第１タンデム用領域４０１に第１タンデム通路３０１が形成される場合には、ブリッジ通路５３には、第１供給通路５１を流れる油と第１アンロード通路４１を流れる油とが合流した油が流れることが可能となる。
【００４２】
第２パラレル用領域２０２に第２パラレル通路１０２が形成され、第２供給通路５２が第２ポンプに接続され、第２タンデム用領域４０２に第２タンデム通路３０２が形成される場合には、ブリッジ通路５３には、第２供給通路５２を流れる油と第２アンロード通路４２を流れる油とが合流した油が流れることが可能となる。
【００４３】
第１パラレル用領域２０１に第１パラレル通路１０１が形成され、第１供給通路５１が第１ポンプに接続され、第１タンデム用領域４０１に第１タンデム通路３０１が形成され、第２パラレル用領域２０２に第２パラレル通路１０２が形成され、第２供給通路５２が第２ポンプに接続され、第２タンデム用領域４０２に第２タンデム通路３０２が形成される場合には、ブリッジ通路５３には、第１供給通路５１を流れる油と第１アンロード通路４１を流れる油とが合流した油、および、第２供給通路５２を流れる油と第２アンロード通路４２を流れる油とが合流した油が流れることが可能となる。なお、第１パラレル通路１０１、第２パラレル通路１０２、第１タンデム通路３０１および第２タンデム通路３０２の一以上が形成された場合のブリッジ通路５３に対する油の流入パターンは、上記以外のパターンも存在する。
【００４４】
図２および図３に示すように、領域（７１１〜７１４）は、チェック弁又は盲栓を設けるための規制部材設置部（７０１〜７０４）を形成するための領域である。領域（７１１〜７１４）には、第１規制部材設置部７０１を形成可能な第１規制部材用領域７１１、第２規制部材設置部７０２を形成可能な第２規制部材用領域７１２、第３規制部材設置部７０３を形成可能な第３規制部材用領域７１３および第４規制部材設置部７０４を形成可能な第４規制部材用領域７１４がある。
【００４５】
図２に示すように、第１規制部材用領域７１１は、第１パラレル用領域２０１に第１パラレル通路１０１が形成された場合に、第１パラレル通路１０１とブリッジ通路５３との間にチェック弁または盲栓を設けることが可能な第１規制部材設置部７０１を形成するための領域である。第１規制部材用領域７１１に形成される第１規制部材設置部７０１は、第１パラレル用領域２０１に第１パラレル通路１０１が形成された場合に、ブリッジ通路５３から第１パラレル通路１０１への油の逆流を防ぐチェック弁を設ける部分として機能する。第１規制部材設置部７０１は、例えば第１パラレル用領域２０１に形成された第１パラレル通路１０１が不要となった場合に、ブリッジ通路５３と第１パラレル通路１０１との連通を遮断する盲栓を設ける部分として機能する。
【００４６】
第２規制部材用領域７１２は、第２パラレル用領域２０２に第２パラレル通路１０２が形成された場合に、第２パラレル通路１０２とブリッジ通路５３との間にチェック弁または盲栓を設けることが可能な第２規制部材設置部７０２を形成するための領域である。第２規制部材用領域７１２に形成される第２規制部材設置部７０２は、第２パラレル用領域２０２に第１パラレル通路１０２が形成された場合に、ブリッジ通路５３から第２パラレル通路１０２への油の逆流を防ぐチェック弁を設ける部分として機能する。第２規制部材設置部７０２は、例えば第２パラレル用領域２０２に形成された第２パラレル通路１０２が不要となった場合に、ブリッジ通路５３と第２パラレル通路１０２との連通を遮断する盲栓を設ける部分として機能する。
【００４７】
図３に示すように、第３規制部材用領域７１３は、第１タンデム用領域４０１に第１タンデム通路３０１が形成された場合に、第１タンデム通路３０１とブリッジ通路５３との間にチェック弁または盲栓を設けることが可能な第３規制部材設置部７０３を形成するための領域である。第３規制部材用領域７１３に形成される第３規制部材設置部７０３は、第１タンデム用領域４０１に第１タンデム通路３０１が形成された場合に、ブリッジ通路５３から第１タンデム通路３０１への油の逆流を防ぐチェック弁を設ける部分として機能する。第３規制部材設置部７０３は、例えば第１タンデム用領域４０１に形成された第１タンデム通路３０１が不要となった場合に、ブリッジ通路５３と第１タンデム通路３０１との連通を遮断する盲栓を設ける部分として機能する。
【００４８】
第４規制部材用領域７１４は、第２タンデム用領域４０２に第２タンデム通路３０２が形成された場合に、第２タンデム通路３０２とブリッジ通路５３との間にチェック弁または盲栓を設けることが可能な第４規制部材設置部７０４を形成するための領域である。第４規制部材用領域７１４に形成される第４規制部材設置部７０４は、第２タンデム用領域４０２に第２タンデム通路３０２が形成された場合に、ブリッジ通路５３から第２タンデム通路３０２への油の逆流を防ぐチェック弁を設ける部分として機能する。第４規制部材設置部７０４は、例えば第２タンデム用領域４０２に形成された第２タンデム通路４０１が不要となった場合に、ブリッジ通路５３と第２タンデム通路３０２との連通を遮断する盲栓を設ける部分として機能する。
【００４９】
スプール８０は、図２および図４に示すように、スプール孔３３に挿入される。スプール８０は、略円柱状である。スプール８０の軸方向（略円柱の中心軸の方向）を、スプール軸方向Ａとする。スプール軸方向Ａにおける一方側を一方側Ａ１、他方側を他方側Ａ２とする。スプール８０は、スプール孔３３に対してスプール軸方向Ａにスライド（ストローク）自在である。
【００５０】
スプール８０は、通路どうし（例えば、ブリッジ通路５３とアクチュエータ通路（６１・６２））の接続および遮断を切り換える。このスプール８０は、通路どうしの接続の有無、および、接続の開度（弁開度）を切り換える。さらに詳しくは、スプール８０は、通路どうしを「遮断状態」ならびに「接続状態」（「全開状態」および「絞り状態」）のいずれかの状態にする。
「遮断状態」は、通路どうしが接続されていない状態（遮断された状態）である。
「接続状態」は、通路どうしが接続された状態（連通された状態）である。この「接続状態」には、「全開状態」と「絞り状態」とがある。
「全開状態」は、通路どうしの流路の開度が最大の状態（スプール８０を一方側Ａ１の端から他方側Ａ２の端までストロークさせたときに開度が様々に変化するところ、この開度が最大の状態）である。例えば、「全開状態」は、通路どうしの流路が絞られていない状態である。
「絞り状態」は、通路どうしの流路が、上記「全開状態」よりも絞られた状態（遮断状態を除く）である。
【００５１】
このスプール８０は、複数の領域（２０１，２０２，４０１，４０２）に形成される通路（１０１，１０２，３０１，３０２）のパターンによって、異なる構成が採用される。具体的には、ブリッジ通路５３に第１ポンプおよび第２ポンプの両方からの吐出油が流れるように通路（１０１，１０２，３０１，３０２）が形成された場合と、ブリッジ通路５３に第１ポンプのみからの吐出油が流れるように通路（１０１，１０２，３０１，３０２）が形成された場合と、ブリッジ通路５３に第２ポンプのみからの吐出油が流れるように通路（１０１，１０２，３０１，３０２）が形成された場合とで、異なる構成のスプールが用いられる。
【００５２】
図１乃至図５に示すスプール８０は、ブリッジ通路５３に第１ポンプおよび第２ポンプの両方からの吐出油が流れるように通路（１０１，１０２，３０１，３０２）が形成された場合に用いられるスプールを示している。
【００５３】
＜ブリッジ通路に第１ポンプおよび第２ポンプの両方からの吐出油が流れる構成の場合＞
この場合、スプール８０では、以下の構成が採用される。
スプール８０は、ブリッジ通路５３と、アクチュエータ通路（６１・６２）と、の接続および遮断を切り換える。
スプール８０は、アクチュエータ通路（６１・６２）と、タンク通路４５と、の接続および遮断を切り換える。
スプール８０は、上流側第１アンロード通路４１ａと、下流側第１アンロード通路４１ｂと、の接続および遮断を切り換える。
スプール８０は、上流側第２アンロード通路４２ａと、下流側第２アンロード通路４２ｂと、の接続および遮断を切り換える。
【００５４】
スプール８０は、図４に示すように、切欠き部８１と、ランド部８３と、を備える。切欠き部８１とランド部８３とは、スプール軸方向Ａに交互に配置される（形成される）。
【００５５】
切欠き部８１は、通路どうし（通路間）を接続させる。切欠き部８１は、通路のスプール孔３３への開口どうしを接続させる。以下、スプール孔３３への開口を、「開口」という。なお、図示の例では、複数の通路（４１〜６２）のうちの通路（４１，４２，４５，５３，６１，６２）がスプール孔３３へ開口する。切欠き部８１は、通路どうしを、スプール孔３３を介して接続させる。図４に示すように、切欠き部８１は、ランド部８３に対して、スプール８０の径方向内側に凹む部分である。切欠き部８１は、複数設けられ、例えば４か所設けられる（２か所、３か所、または５か所以上設けられてもよい）。切欠き部８１は、第１アンロード通路用切欠き部８１ａと、第２アンロード通路用切欠き部８１ｂと、を備える。第１アンロード通路用切欠き部８１ａは、上流側第１アンロード通路４１ａと下流側第１アンロード通路４１ｂとを接続させる。第２アンロード通路用切欠き部８１ｂは、上流側第２アンロード通路４２ａと下流側第２アンロード通路４２ｂとを接続させる。
【００５６】
ランド部８３は、通路どうしが接続されない状態（遮断状態）にする。ランド部８３は、切欠き部８１による通路どうしの接続が行われないようにする。ランド部８３は、スプール孔３３（の内面）に接触する。ランド部８３は、通路（４１，４２，４５，５３，６１，６２）の開口を塞ぐ。または、ランド部８３は、通路どうしの間のスプール孔３３を塞ぐ。ランド部８３は、通路どうしを絞り状態にする。ランド部８３は、通路（４１，４２，４５，５３，６１，６２）の開口を、全開状態よりも狭くする。ランド部８３は、複数設けられ、例えば５か所設けられる（４か所以下、または６か所以上設けられてもよい）。ランド部８３は、アンロード通路用ランド部（８３ａ〜８３ｃ）を備える。
【００５７】
アンロード通路用ランド部（８３ａ〜８３ｃ）は、アンロード通路（４１・４２）を遮断可能である（遮断状態にすることが可能である）。アンロード通路用ランド部（８３ａ〜８３ｃ）は、第１アンロード通路用ランド部８３ａと、第２アンロード通路用ランド部８３ｂと、第３アンロード通路用ランド部８３ｃと、を備える。
【００５８】
第１アンロード通路用ランド部８３ａは、図４に示す中立位置３０ａから図中の右側に移動した第１作動位置３０ｂ（図５参照）のときに、第１アンロード通路４１を遮断状態または絞り状態（図示なし）にする。第２アンロード通路用ランド部８３ｂは、図４に示す中立位置３０ａから図中の左側に移動した第２作動位置３０ｃ（図５参照）のときに、第２アンロード通路４２を遮断状態または絞り状態（図示なし）にする。
【００５９】
第３アンロード通路用ランド部８３ｃは、第１アンロード通路４１を遮断可能、かつ、第２アンロード通路４２を遮断可能である。この構成では、第３アンロード通路用ランド部８３ｃが２つの用途に使われるため、ランド部を共通化できる。第３アンロード通路用ランド部８３ｃは、第１作動位置３０ｂのときに、第２アンロード通路４２を遮断状態または絞り状態（図示なし）にする。第３アンロード通路用ランド部８３ｃは、第２作動位置３０ｃのときに、第１アンロード通路４１を遮断状態または絞り状態（図示なし）にする。以上が、ブリッジ通路５３に第１ポンプおよび第２ポンプの両方からの吐出油が流れる構成の場合のスプール８０の構成である。ブリッジ通路５３に第１ポンプおよび第２ポンプのうちのいずれかからの吐出油が流れる構成の場合は、スプール８０は、以下の構成が採用される
【００６０】
＜ブリッジ通路に第１ポンプのみからの吐出油が流れる構成の場合＞
この場合、スプール８０では、以下の構成が採用される。
スプール８０は、ブリッジ通路５３と、アクチュエータ通路（６１・６２）と、の接続および遮断を切り換える。
スプール８０は、アクチュエータ通路（６１・６２）と、タンク通路４５と、の接続および遮断を切り換える。
スプール８０は、上流側第１アンロード通路４１ａと、下流側第１アンロード通路４１ｂと、の接続および遮断を切り換える。
スプール８０は、上流側第２アンロード通路４２ａと、下流側第２アンロード通路４２ｂと、を常時、接続状態とする。
【００６１】
この場合、アンロード通路用ランド部（８３ａ〜８３ｃ）が、以下のように機能する。
【００６２】
第１アンロード通路用ランド部８３ａは、図４に示す中立位置３０ａから図中の右側に移動した第１作動位置３０ｂ（図５参照）のときに、第１アンロード通路４１を遮断状態または絞り状態（図示なし）にする。第２アンロード通路用ランド部８３ｂは、図４に示す中立位置３０ａから図中の左側に移動した第２作動位置３０ｃ（図５参照）のときに、第２アンロード通路４２を遮断状態または絞り状態にする機能を有さない（全開状態に維持する）。
【００６３】
第３アンロード通路用ランド部８３ｃは、第１作動位置３０ｂのときに、第２アンロード通路４２を遮断状態または絞り状態にする機能を有さない（全開状態に維持する）。第３アンロード通路用ランド部８３ｃは、第２作動位置３０ｃのときに、第１アンロード通路４１を遮断状態または絞り状態（図示なし）にする。
【００６４】
その他の構成は、ブリッジ通路５３に第１ポンプおよび第２ポンプの両方からの吐出油が流れる構成の場合と同様である。
【００６５】
＜ブリッジ通路に第２ポンプのみからの吐出油が流れる構成の場合＞
この場合、スプール８０では、以下の構成が採用される。
スプール８０は、ブリッジ通路５３と、アクチュエータ通路（６１・６２）と、の接続および遮断を切り換える。
スプール８０は、アクチュエータ通路（６１・６２）と、タンク通路４５と、の接続および遮断を切り換える。
スプール８０は、上流側第１アンロード通路４１ａと、下流側第１アンロード通路４１ｂと、を常時、接続状態とする。
スプール８０は、上流側第２アンロード通路４２ａと、下流側第２アンロード通路４２ｂと、の接続および遮断を切り換える。
【００６６】
この場合、アンロード通路用ランド部（８３ａ〜８３ｃ）が、以下のように機能する。
【００６７】
第１アンロード通路用ランド部８３ａは、図４に示す中立位置３０ａから図中の右側に移動した第１作動位置３０ｂ（図５参照）のときに、第１アンロード通路４１を遮断状態または絞り状態にする機能を有さない（全開状態に維持する）。第２アンロード通路用ランド部８３ｂは、図４に示す中立位置３０ａから図中の左側に移動した第２作動位置３０ｃ（図５参照）のときに、第２アンロード通路４２を遮断状態または絞り状態（図示なし）にする。
【００６８】
第３アンロード通路用ランド部８３ｃは、第１作動位置３０ｂのときに、第２アンロード通路４２を遮断状態または絞り状態（図示なし）にする。第３アンロード通路用ランド部８３ｃは、第２作動位置３０ｃのときに、第１アンロード通路４１を遮断状態または絞り状態にする機能を有さない（全開状態に維持する）。
【００６９】
その他の構成は、ブリッジ通路５３に第１ポンプおよび第２ポンプの両方からの吐出油が流れる構成の場合と同様である。
【００７０】
（通路（４１〜６２）の配置）
図２に示す複数の通路（４１〜６２）のうちのスプール孔３３に開口する通路（４１，４２，４５，５３，６１，６２）の開口（スプール孔３３への開口）は、スプール軸方向Ａの一方側Ａ１から他方側Ａ２の順に、例えば次の順に並ぶ。一方側Ａ１のタンク通路４５、第１アクチュエータ通路６１、第１ブリッジ通路５３ａ（一方側Ａ１のブリッジ通路５３）、アンロード通路（４１・４２）、第２ブリッジ通路５３ｂ（他方側Ａ２のブリッジ通路５３）、第２アクチュエータ通路６２、他方側Ａ２のタンク通路４５。一方側Ａ１のタンク通路４５の開口と、他方側Ａ２のタンク通路４５の開口とは、弁本体３１の内部で連通する（弁本体３１の内部で連通しなくてもよい）。
【００７１】
（アンロード通路（４１・４２）の配置）
図２に示すアンロード通路（４１・４２）は、次のように配置される。アンロード通路（４１・４２）は、スプール軸方向Ａにおけるスプール孔３３（図２参照）の寸法（スプール８０の寸法）が大きくなりすぎることを抑制できるように配置される。具体的には次の通りである。
【００７２】
（アンロード通路（４１・４２）の配置順）
アンロード通路（４１・４２）は、第１アンロード通路４１および第２アンロード通路４２の両方の接続および遮断を切り換える必要がある場合に、第１アンロード通路４１および第２アンロード通路４２で第３アンロード通路用ランド部８３ｃの共通化（上記）ができるように配置される。具体的には、第１アンロード通路４１と第２アンロード通路４２とは、隣り合う（スプール軸方向Ａに隣り合う、以下同様）ように配置される（「隣り合う」については下記）。例えば、下流側第１アンロード通路４１ｂと上流側第２アンロード通路４２ａとは、隣り合うように配置される。例えば、上流側第１アンロード通路４１ａと下流側第１アンロード通路４１ｂとは、隣り合うように配置される。例えば、上流側第２アンロード通路４２ａと下流側第２アンロード通路４２ｂとは、隣り合うように配置される。
【００７３】
ここで、通路αと通路βとが「隣り合う」とは、次の［配置例１］または［配置例２］のように配置されることである。［配置例１］通路αと通路βとの間に、他の通路（通路αおよび通路β以外の通路）が配置されない。スプール孔３３（図２参照）では、通路αの開口（スプール孔３３への開口）と、通路βの開口と、の間に他の通路の開口が配置されない。［配置例２］通路αと通路βとがスプール軸方向Ａに順番に配置される。さらに詳しくは、スプール軸方向Ａの一方側Ａ１から他方側Ａ２の順に、通路αの次に通路βが配置される（または、通路βの次に通路αが配置される）。スプール孔３３（図２参照）では、通路αの開口と通路βの開口とがスプール軸方向Ａに順番に配置される。
【００７４】
図１および図４に示すように、第１アンロード通路４１および第２アンロード通路４２は、弁本体３１の一側面とこの側面に対向する他側面とにわたって、スプール軸方向Ａに直交する方向に延びている。詳しくは、第１アンロード通路４１では、上流側第１アンロード通路４１ａが、スプール孔３３への開口側からスプール軸方向Ａに直交する方向に延びて、弁本体３１の前記一側面において弁本体３１の外部に開口する。下流側第１アンロード通路４１ｂは、スプール孔３３への開口側から、スプール軸方向Ａに直交する方向における上流側第１アンロード通路４１ａが延びる側とは反対側に延びて、弁本体３１の前記他側面において弁本体３１の外部に開口する。第２アンロード通路４２では、上流側第２アンロード通路４２ａが、スプール孔３３への開口側からスプール軸方向Ａに直交する方向に延びて、弁本体３１の前記一側面において弁本体３１の外部に開口する。下流側第２アンロード通路４２ｂは、スプール孔３３への開口側から、スプール軸方向Ａに直交する方向における上流側第２アンロード通路４２ａが延びる側とは反対側に延びて、弁本体３１の前記他側面において弁本体３１の外部に開口する。
【００７５】
（供給通路（５１・５２）の配置）
図１および図２に示すように、供給通路（５１・５２）は、アンロード通路（４１・４２）に沿って延びている。供給通路（５１・５２）は、アンロード通路（４１・４２）よりも径方向外側に配置される。第１供給通路５１は、第１アンロード通路４１（上流側第１アンロード通路４１ａ）が開口する弁本体３１の前記一側面から前記他側面に向けて延びる。第１供給通路５１は、弁本体３１の前記一側面と前記他側面との間の中間位置に至る。第２供給通路５２は、第２アンロード通路４２（上流側第２アンロード通路４２ａ）が開口する弁本体３１の前記一側面から前記他側面に向けて延びる。第２供給通路５１は、弁本体３１の前記一側面と前記他側面との間の中間位置に至る。第１アンロード通路４１と第１供給通路５１とは、互いの少なくとも一部が径方向で重なる位置に配置される。第２アンロード通路４２と第２供給通路５２とは、互いの少なくとも一部が径方向で重なる位置に配置される。
【００７６】
（ブリッジ通路（５３）の配置）
図２に示すように、アンロード通路（４１・４２）および供給通路（５１・５２）が延びる方向に直交する断面視において、第１ブリッジ通路５３ａは、スプール孔３３への開口側からスプール軸方向Ａに対する径方向の外側に延び、その後、スプール軸方向Ａに沿って第２ブリッジ通路５３ｂ側に延びる。そして、第１ブリッジ通路５３ａは、第１供給通路５１の径方向外側に至る。第２ブリッジ通路５３ｂは、スプール孔３３への開口側からスプール軸方向Ａに対する径方向の外側に延び、その後、スプール軸方向Ａに沿って第１ブリッジ通路５３ａ側に延びる。そして、第２ブリッジ通路５３ｂは、第２供給通路５２の径方向外側に至る。そして、第１ブリッジ通路５３ａと第２ブリッジ通路５３ｂとは、第１供給通路５１および第２供給通路５２の径方向外側の位置で互いに接続する。
【００７７】
図２に示す断面視で、ブリッジ通路５３は、逆Ｕ字状に形成される。ブリッジ通路５３は、アンロード通路（４１・４２）および供給通路（５１・５２）を、スプール軸方向Ａの両側および径方向の外側から覆っている。図２に示すように、第１ブリッジ通路５３ａのうちの第２ブリッジ通路５３ｂとの接続部側の部分と第１供給通路５１とは、径方向で重なっている。第２ブリッジ通路５３ｂのうちの第１ブリッジ通路５３ａとの接続部側の部分と第２供給通路５２とは、径方向で重なっている。一方、図１に示す側面視で、第１ブリッジ通路５３ａの中間部分（スプール孔３３への開口側と第２ブリッジ通路５３ｂとの接続部側との中間位置）と第１アンロード通路４１（上流側第１アンロード通路４１ａ）とは、スプール軸方および径方向で近接している。第２ブリッジ通路５３ｂの中間部分（スプール孔３３への開口側と第１ブリッジ通路５３ａとの接続部側との中間位置）と第２アンロード通路４２（上流側第２アンロード通路４２ａ）とは、スプール軸方向および径方向で近接している。
【００７８】
（領域（２０１，２０２，４０１，４０２）の位置）
図２に示すように、第１パラレル用領域２０１は、その一部が第１供給通路５１に面し、他の一部が、ブリッジ通路５３に面する位置に設定される。具体的には、第１パラレル用領域２０１は、第１ブリッジ通路５３ａのうちの第２ブリッジ通路５３ｂとの接続部側の部分と第１供給通路５１との間に設定される。すなわち、第１ブリッジ通路５３ａのうちの第２ブリッジ通路５３ｂとの接続部側の部分と、第１パラレル用領域２０１と、第１供給通路５１とは、径方向で重なっている。これにより、第１ブリッジ通路５３ａから第１供給通路５１に向けて径方向に沿って第１パラレル用領域２０１に孔を形成することにより、第１パラレル通路１０１を形成できる。第２パラレル用領域２０２は、その一部が第２供給通路５２に面し、他の一部が、ブリッジ通路５３に面する位置に設定される。具体的には、第２パラレル用領域２０２は、第２ブリッジ通路５３ｂのうちの第１ブリッジ通路５３ａとの接続部側の部分と第２供給通路５２との間に設定される。すなわち、第２ブリッジ通路５３ｂのうちの第１ブリッジ通路５３ａとの接続部側の部分と、第２パラレル用領域２０２と、第２供給通路５２とは、径方向で重なっている。これにより、第２ブリッジ通路５３ｂから第２供給通路５２に向けて径方向に沿って第２パラレル用領域２０２に孔を形成することにより、第２パラレル通路１０２を形成できる。
【００７９】
図１乃至図３に示すように、第１タンデム用領域４０１は、その一部が第１アンロード通路４１および弁本体３１の外部に面し、他の一部が、ブリッジ通路５３に面する位置に設定される。具体的には、図１に示すように、第１タンデム用領域４０１は、第１ブリッジ通路５３ａの中間部分と第１アンロード通路４１（上流側第１アンロード通路４１ａ）との間に設定される。これにより、第１タンデム用領域４０１においては、弁本体３１の一側面から第１ブリッジ通路５３ａの中間部分と第１アンロード通路４１（上流側第１アンロード通路４１ａ）との間に孔を形成することにより、第１タンデム通路３０１をコンパクトに形成できる。なお、第１タンデム通路３０１が弁本体３１の外部で第１アンロード通路４１に接続される構成のときは、第１タンデム用領域４０１の一部は、第１アンロード通路４１に面していなくてもよい。
【００８０】
第２タンデム用領域４０２は、その一部が第２アンロード通路４２に面し、他の一部が、弁本体３１の外部に面する位置に設定される。具体的には、図１に示すように、第２タンデム用領域４０２は、第２ブリッジ通路５３ｂの中間部分と第２アンロード通路４２（上流側第２アンロード通路４２ａ）との間に設定される。これにより、第２タンデム用領域４０２においては、弁本体３１の一側面から第２ブリッジ通路５３ｂの中間部分と第２アンロード通路４２（上流側第２アンロード通路４２ａ）との間に孔を形成することにより、第２タンデム通路３０２をコンパクトに形成できる。なお、第２タンデム通路３０２が弁本体３１の内部で第２アンロード通路４２に接続される構成のときは、第２タンデム用領域４０２の一部は、第２アンロード通路４２に面するように設定される。
【００８１】
（領域（７１１〜７１４）の位置）
図２に示すように、第１規制部材用領域７１１は、第１パラレル用領域２０１に第１パラレル通路１０１が形成される場合に、第１規制部材用領域７１１のうちの一部が、第１パラレル通路１０１とブリッジ通路５３との接続位置に面し、その他の一部が、方向切換弁３０の外部に面する位置に設定される。これにより、第１規制部材設置部７０１を、ブリッジ通路５３の内部、第１パラレル通路１０１の内部および方向切換弁３０の外部に連通する孔として形成できる。これにより、方向切換弁３０の外部から第１規制部材設置部７０１を通して、第１パラレル通路１０１とブリッジ通路５３との間に、チェック弁又は盲栓を設けることができる。具体的には、第１規制部材用領域７１１は、第１ブリッジ通路５３ａのうちの第２ブリッジ通路５３ｂとの接続部側の部分と、第１パラレル用領域２０１と、第１供給通路５１とに、径方向で重なる位置に設定される。
【００８２】
第２規制部材用領域７１２は、第２パラレル用領域２０２に第２パラレル通路１０２が形成される場合に、第２規制部材用領域７１２のうちの一部が、第２パラレル通路１０２とブリッジ通路５３との接続位置に面し、その他の一部が、方向切換弁３０の外部に面する位置に設定される。これにより、第２規制部材設置部７０２を、ブリッジ通路５３の内部、第２パラレル通路１０２の内部および方向切換弁３０の外部に連通する孔として形成できる。これにより、方向切換弁３０の外部から第２規制部材設置部７０２を通して、第２パラレル通路１０２とブリッジ通路５３との間に、チェック弁又は盲栓を設けることができる。具体的には、第２規制部材用領域７１２は、第２ブリッジ通路５３ｂのうちの第１ブリッジ通路５３ａとの接続部側の部分と、第２パラレル用領域２０２と、第２供給通路５２とに、径方向で重なる位置に設定される。
【００８３】
図３（Ａ）に示すように、第３規制部材用領域７１３は、第１タンデム用領域４０１に第１タンデム通路３０１が形成される場合に、第３規制部材用領域７１３のうちの一部が、第１タンデム通路３０１とブリッジ通路５３との接続位置に面し、その他の一部が、方向切換弁３０の外部に面する位置に設定される。これにより、第３規制部材設置部７０３を、ブリッジ通路５３の内部、第１タンデム通路３０１の内部および方向切換弁３０の外部に連通する孔として形成できる。これにより、方向切換弁３０の外部から第３規制部材設置部７０３を通して、第１タンデム通路３０１とブリッジ通路５３との間に、チェック弁又は盲栓を設けることができる。具体的に、第３規制部材用領域７１３は、アンロード通路（４１・４２）および供給通路（５１・５２）が延びる方向で、第１タンデム用領域４０１に重なる位置に設定される。
【００８４】
図３（Ｂ）に示すように、第４規制部材用領域７１４は、第２タンデム用領域４０２に第２タンデム通路３０２が形成される場合に、第４規制部材用領域７１４のうちの一部が、第２タンデム通路３０２とブリッジ通路５３との接続位置に面し、その他の一部が、方向切換弁３０の外部に面する位置に設定される。これにより、第４規制部材設置部７０４を、ブリッジ通路５３の内部、第２タンデム通路３０２の内部および方向切換弁３０の外部に連通する孔として形成できる。これにより、方向切換弁３０の外部から第４規制部材設置部７０４を通して、第２タンデム通路３０２とブリッジ通路５３との間に、チェック弁又は盲栓を設けることができる。具体的に、第４規制部材用領域７１４は、アンロード通路（４１・４２）および供給通路（５１・５２）が延びる方向で、第２タンデム用領域４０２に重なる位置に設定される。
【００８５】
（作動）
方向切換弁３０は、方向切換弁３０の操作（建設機械の操縦者による操作、例えばレバー操作）に応じて作動することが可能である。この操作に応じて、方向切換弁３０は、中立位置３０ａと、第１作動位置３０ｂと、第２作動位置３０ｃと、を切り換える。この操作に応じて、図２に示すスプール８０は、ストローク位置を変える。その結果、スプール８０は、通路どうしの接続の有無、および、接続の開度（弁開度）を切り換える。そして、複数の領域（２０１，２０２，４０１，４０２）の少なくともいずれかにおいて通路（１０１，１０２，３０１，３０２）が形成された場合に、第１ポンプおよび第２ポンプのうちの少なくともいずれかからの吐出油のアクチュエータへの油の供排（供給および排出）の有無、および、アクチュエータに対して供排する油の流量を調整することが可能となる。
【００８６】
スプール８０は、複数の領域（２０１，２０２，４０１，４０２）に形成される通路（１０１，１０２，３０１，３０２）のパターンによって、異なる作動を実施する。具体的には、ブリッジ通路５３に第１ポンプおよび第２ポンプの両方からの吐出油が流れるように通路（１０１，１０２，３０１，３０２）が形成された場合と、ブリッジ通路５３に第１ポンプのみからの吐出油が流れるように通路（１０１，１０２，３０１，３０２）が形成された場合と、ブリッジ通路５３に第２ポンプのみからの吐出油が流れるように通路（１０１，１０２，３０１，３０２）が形成された場合とで、異なる作動を実施する。パターンごとに、異なる作動を実施する場合には、それぞれのパターンに対応したスプール８０が用いられる。
【００８７】
＜ブリッジ通路に第１ポンプおよび第２ポンプの両方からの吐出油が流れる構成の場合＞
第１ポンプおよび第２ポンプの両方からの吐出油が、ブリッジ通路５３に流れるように、領域（２０１，２０２，４０１，４０２）において通路（１０１，１０２，３０１，３０２）が形成された場合には、方向切換弁３０は、以下のように作動する。
【００８８】
（中立位置３０ａ）
方向切換弁３０の切換位置が中立位置３０ａのとき、方向切換弁３０は、次のように作動する。
［作動１ａ］図２に示すように、方向切換弁３０は、第１アンロード通路４１を全開状態にする。具体的には、上流側第１アンロード通路４１ａと下流側第１アンロード通路４１ｂとを、第１アンロード通路用切欠き部８１ａ（図４参照）を介して、全開状態にする。
［作動１ｂ］方向切換弁３０は、第２アンロード通路４２を全開状態にする。具体的には、方向切換弁３０は、上流側第２アンロード通路４２ａと下流側第２アンロード通路４２ｂとを、第２アンロード通路用切欠き部８１ｂ（図４参照）を介して、全開状態にする。
［作動１ｃ］方向切換弁３０は、ブリッジ通路５３（第１ブリッジ通路５３ａおよび第２ブリッジ通路５３ｂ）を遮断状態にする。
［作動１ｄ］方向切換弁３０は、アクチュエータ通路（６１・６２）を遮断状態にする。
［作動１ｅ］方向切換弁３０は、タンク通路４５を遮断状態にする。
［作動１ｆ］その結果、アンロード通路（４１・４２）がタンクに接続された場合に、第１ポンプおよび第２ポンプの吐出油は、アンロード通路（４１・４２）を通り、タンクに戻される状態となる。アクチュエータ通路（６１・６２）がアクチュエータに接続された場合に、第１ポンプおよび第２ポンプの吐出油は、方向切換弁３０からアクチュエータに供給されない状態となる。
【００８９】
（第１作動位置３０ｂ）
切換位置が第１作動位置３０ｂのときの方向切換弁３０は、アクチュエータ通路（６１・６２）に対する油の供排をする状態となる。方向切換弁３０の切換位置が第１作動位置３０ｂのとき、方向切換弁３０は、次のように作動する。
［作動２ａ］方向切換弁３０は、第１アンロード通路４１を、遮断状態または絞り状態（図示なし）にする。具体的には、方向切換弁３０は、上流側第１アンロード通路４１ａと下流側第１アンロード通路４１ｂとを、第１アンロード通路用ランド部８３ａ（図４参照）により、遮断状態または絞り状態にする。
［作動２ｂ］方向切換弁３０は、第２アンロード通路４２を、遮断状態または絞り状態（図示なし）にする。具体的には、方向切換弁３０は、上流側第２アンロード通路４２ａと下流側第２アンロード通路４２ｂとを、第３アンロード通路用ランド部８３ｃ（図４参照）により、遮断状態または絞り状態にする。
［作動２ｃ］方向切換弁３０は、第１ブリッジ通路５３ａ（ブリッジ通路５３）と、第１アクチュエータ通路６１と、を接続状態にする。
［作動２ｄ］方向切換弁３０は、第２ブリッジ通路５３ｂを遮断状態にする。
［作動２ｅ］方向切換弁３０は、第２アクチュエータ通路６２とタンク通路４５とを接続状態にする。
［作動２ｆ］その結果、第１ポンプおよび第２ポンプの吐出油は、ブリッジ通路５３に流れる状態となる。
［作動２ｇ］ブリッジ通路５３を流れる油は、第１アクチュエータ通路６１を流れる状態となる。第１アクチュエータ通路６１がアクチュエータに接続された場合に、第１アクチュエータ通路６１を流れる油が、アクチュエータに供給される状態となる。アクチュエータから排出される油は、第２アクチュエータ通路６２を介して、タンク通路４５を流れる状態になる。タンク通路４５を流れる油は、タンクに戻る状態となる。
【００９０】
（第２作動位置３０ｃ）
切換位置が第２作動位置３０ｃのときの方向切換弁３０は、アクチュエータ通路（６１・６２）に対する油の供排をする状態となる。方向切換弁３０の切換位置が第２作動位置３０ｃのとき、方向切換弁３０は、次のように作動する。
［作動３ａ］方向切換弁３０は、第１アンロード通路４１を、遮断状態または絞り状態にする。具体的には、方向切換弁３０は、上流側第１アンロード通路４１ａと下流側第１アンロード通路４１ｂとを、第３アンロード通路用ランド部８３ｃ（図２参照）により、遮断状態または絞り状態にする。
［作動３ｂ］方向切換弁３０は、第２アンロード通路４２を、遮断状態または絞り状態（図示なし）にする。具体的には、方向切換弁３０は、上流側第２アンロード通路４２ａと下流側第２アンロード通路４２ｂとを、第２アンロード通路用ランド部８３ｂ（図２参照）により、遮断状態または絞り状態にする。
［作動３ｃ］方向切換弁３０は、第２ブリッジ通路５３ｂ（ブリッジ通路５３）と、第２アクチュエータ通路６２と、を接続状態にする。
［作動３ｄ］方向切換弁３０は、第１ブリッジ通路５３ａを遮断状態にする。
［作動３ｅ］方向切換弁３０は、第１アクチュエータ通路６１とタンク通路４５とを接続状態にする。
［作動３ｆ］その結果、第１ポンプおよび第２ポンプの吐出油は、ブリッジ通路５３に流れる状態となる。
［作動３ｇ］ブリッジ通路５３を流れる油は、第２アクチュエータ通路６２を流れる状態となる。第２アクチュエータ通路６２がアクチュエータに接続された場合に、第２アクチュエータ通路６２を流れる油が、アクチュエータに供給される状態となる。アクチュエータから排出される油は、第１アクチュエータ通路６１を介して、タンク通路４５を流れる状態になる。タンク通路４５を流れる油は、タンクに戻る状態となる。
【００９１】
＜ブリッジ通路に第１ポンプのみからの吐出油が流れる構成の場合＞
第１ポンプからの吐出油のみが、ブリッジ通路５３に流れるように、領域（２０１，２０２，４０１，４０２）において通路（１０１，１０２，３０１，３０２）が形成された場合には、方向切換弁３０は、第１作動位置３０ｂにおいて、以下のように作動する。
［作動２ａ−１］方向切換弁３０は、第１アンロード通路４１を、遮断状態または絞り状態（図示なし）にする。
［作動２ｂ−１］方向切換弁３０は、第２アンロード通路４２を、全開状態とする。
［作動２ｆ−１］第１ポンプの吐出油は、ブリッジ通路５３に流れる状態となる。
方向切換弁３０は、第２作動位置３０ｃにおいて、以下のように作動する。
［作動３ａ−１］方向切換弁３０は、第１アンロード通路４１を、遮断状態または絞り状態（図示なし）にする。
［作動３ｂ−１］方向切換弁３０は、第２アンロード通路４２を、全開状態とする。
［作動３ｆ−１］第１ポンプの吐出油は、ブリッジ通路５３に流れる状態となる。
【００９２】
その他の構成は、ブリッジ通路５３に第１ポンプおよび第２ポンプの両方からの吐出油が流れる構成の場合と、同様である。
【００９３】
＜ブリッジ通路に第２ポンプのみからの吐出油が流れる構成の場合＞
第２ポンプからの吐出油のみが、ブリッジ通路５３に流れるように、領域（２０１，２０２，４０１，４０２）において通路（１０１，１０２，３０１，３０２）が形成された場合には、方向切換弁３０は、第１作動位置３０ｂにおいて、以下のように作動する。
［作動２ａ−２］方向切換弁３０は、第１アンロード通路４１を、全開状態とする。
［作動２ｂ−２］方向切換弁３０は、第２アンロード通路４２を、遮断状態または絞り状態（図示なし）にする。
［作動２ｆ−２］第２ポンプの吐出油は、ブリッジ通路５３に流れる状態となる。
方向切換弁３０は、第２作動位置３０ｃにおいて、以下のように作動する。
［作動３ａ−２］方向切換弁３０は、第１アンロード通路４１を、全開状態とする。
［作動３ｂ−２］方向切換弁３０は、第２アンロード通路４２を、遮断状態または絞り状態（図示なし）にする。
［作動３ｆ−２］第２ポンプの吐出油は、ブリッジ通路５３に流れる状態となる。
【００９４】
その他の構成は、ブリッジ通路５３に第１ポンプおよび第２ポンプの両方からの吐出油が流れる構成の場合と、同様である。
【００９５】
（効果１）
図１乃至図５に示した方向切換弁３０による効果を説明する。方向切換弁３０は、スプール孔３３が形成された弁本体３１と、スプール孔３３に挿入されたスプール８０と、を備える。弁本体３１は、スプール孔３３に開口し、第１ポンプに接続される第１アンロード通路４１と、スプール孔３３に開口し、第２ポンプに接続される第２アンロード通路４２と、スプール孔３３に直接的に開口せず、第１ポンプに接続可能な第１供給通路５１と、スプール孔３３に直接的に開口せず、第２ポンプに接続可能な第２供給通路５２と、スプール孔３３に開口し、アクチュエータに接続されるアクチュエータ通路（６１・６２）と、スプール孔３３に開口するブリッジ通路５３と、を有する。弁本体３１はさらに、第１供給通路５１とブリッジ通路５３とを接続する第１パラレル通路１０１を形成可能な第１パラレル用領域２０１と、第２供給通路５２とブリッジ通路５３とを接続する第２パラレル通路１０２を形成可能な第２パラレル用領域２０２と、第１アンロード通路４１とブリッジ通路５３とを接続する第１タンデム通路３０１を形成可能な第１タンデム用領域４０１と、第２アンロード通路３０２とブリッジ通路５３とを接続する第２タンデム通路３０２を形成可能な第２タンデム用領域４０２と、を有する。スプール８０は、その位置によって、ブリッジ通路５３とアクチュエータ通路（６１・６２）との接続および遮断を切り換える。
【００９６】
この構成によれば、第１パラレル用領域２０１、第２パラレル用領域２０２、第１タンデム用領域４０１および第２タンデム用領域４０２の中から、通路（１０１，１０２，３０１，３０２）を選択的に一つまたは複数形成することができる。これにより、ポンプ（第１ポンプ、第２ポンプ）とブリッジ通路５３とを接続する複数種類のパターンを形成することができる。そして、スプール８０は、その位置によって、ブリッジ通路５３とアクチュエータ通路（６１・６２）との接続および遮断を切り換える。これにより、選択的に形成された通路（１０１，１０２，３０１，３０２）に応じた複数種類の通路パターンで、ポンプからブリッジ通路５３に油を供給することが可能となる。よって、この方向切換弁３０によれば、第１パラレル用領域２０１、第２パラレル用領域２０２、第１タンデム用領域４０１および第２タンデム用領４０２の中から、通路（１０１，１０２，３０１，３０２）を選択的に一つまたは複数形成することにより、ポンプからアクチュエータに油を供給するための複数種類の通路パターンを、選択的に形成できる。
【００９７】
（その他の効果）
弁本体３１は、第１規制部材用領域７１１と、第２規制部材用領域７１２と、第３規制部材用領域７１３と、第４規制部材用領域７１４と、を有する。第１規制部材用領域７１１は、第１パラレル用領域２０１に第１パラレル通路１０１が形成された場合に、第１パラレル通路１０１とブリッジ通路５３との間にチェック弁または盲栓を設けることが可能な第１規制部材設置部７０１を形成するための領域である。第２規制部材用領域７１２は、第２パラレル用領域２０２に第２パラレル通路１０２が形成された場合に、第２パラレル通路１０２とブリッジ通路５３との間にチェック弁または盲栓を設けることが可能な第２規制部材設置部７０２を形成するための領域である。第３規制部材用領域７１３は、第１タンデム用領域４０１に第１タンデム通路３０１が形成された場合に、第１タンデム通路３０１とブリッジ通路５３との間にチェック弁または盲栓を設けることが可能な第３規制部材設置部７０３を形成するための領域である。第４規制部材用領域７１４は、第２タンデム用領域４０２に第２タンデム通路３０２が形成された場合に、第２タンデム通路３０２とブリッジ通路５３との間にチェック弁または盲栓を設けることが可能な第４規制部材設置部７０４を形成するための領域である。
【００９８】
この構成によれば、第１パラレル用領域２０１に第１パラレル通路１０１が形成された場合に、ブリッジ通路５３から第１パラレル通路１０１への油の逆流を防ぐチェック弁を設けることができる。この場合、油圧回路において適切に油を通流させることができる。また、例えば第１パラレル用領域２０１に形成された第１パラレル通路１０１が不要となった場合に、ブリッジ通路５３と第１パラレル通路１０１との連通を遮断する盲栓を設けることができる。この場合、方向切換弁３０における、ポンプからアクチュエータに油を供給するための通路パターンを、異なる通路パターンに切り換えることができる。第２規制部材用領域７１２、第３規制部材用領域７１３および第４規制部材用領域７１４も、第１規制部材用領域７１１と同様の効果を奏する。
【００９９】
方向切換弁３０においてポンプからアクチュエータに油を供給するための複数種類の通路パターンを、選択的に形成した例を以下に説明する。
【０１００】
図６は、通路パターンが形成された図１の方向切換弁３０（３０Ａ，３０Ｂ）が複数適用された建設機械用油圧回路１（以下、油圧回路１と記す。）を示している。油圧回路１は、建設機械（図示なし）に用いられる油圧回路である。建設機械は、建設作業を行うための機械である。建設機械は、例えば油圧ショベルである。図６に示すように、油圧回路１は、ポンプ（１１・１２）と、タンク１５と、アクチュエータ２０（２０Ａ，２０Ｂ）と、通路パターンが形成された図１乃至図５の方向切換弁３０（３０Ａ，３０Ｂ）と、を備える。
【０１０１】
ポンプ（１１・１２）は、油（圧油、作動油）を吐出する油圧ポンプである。ポンプ（１１・１２）は、容量可変型である。ポンプ（１１・１２）では、斜板の傾転角が変わることで容量が変わり、容量が変わると吐出量（入力軸１回転あたりの油の吐出量）が変わる。ポンプ（１１・１２）は、２つのポンプで構成される。ポンプ（１１・１２）は、第１ポンプ１１と、第２ポンプ１２と、を備える。ポンプ（１１・１２）は、例えばスプリットポンプである。スプリットポンプは、１つの入力軸により、複数のポンプ（第１ポンプ１１および第２ポンプ１２）が駆動されるポンプである。スプリットポンプでは、第１ポンプ１１と第２ポンプ１２とが一体的に構成される。スプリットポンプでは、第１ポンプ１１の吐出量と第２ポンプ１２の吐出量とが等しい。なお、ポンプ（１１・１２）は、スプリットポンプでなくてもよい。第１ポンプ１１と第２ポンプ１２とは、別体でもよい。第１ポンプ１１の入力軸と第２ポンプ１２の入力軸とは、共通でもよく、共通でなくてもよい。第１ポンプ１１の吐出量と第２ポンプ１２の吐出量とは、同一でもよく、相違してもよい。
【０１０２】
タンク１５は、油を貯留する。タンク１５は、ポンプ（１１・１２）に油を供給する。タンク１５には、ポンプ（１１・１２）から吐出され、アクチュエータ２０を通った油が戻される。タンク１５には、ポンプ（１１・１２）から吐出され、アクチュエータ２０を通らない油が戻される。
【０１０３】
アクチュエータ２０は、建設機械を作動させる。アクチュエータ２０は、ポンプ（１１・１２）から油が供給されることにより駆動する、油圧アクチュエータである。アクチュエータ２０は、第１ポンプ１１および第２ポンプ１２の少なくとも一方から油が供給されることで駆動する。建設機械が油圧ショベルの場合、アクチュエータ２０の用途には、走行用、旋回用、バケット回動用、アーム起伏用、およびブーム起伏用などがある。
【０１０４】
図中のアクチュエータ２０Ａは、一例として、ブームに対してアームを起伏（上げ下げ、回動）させるための油圧シリンダ（アーム用シリンダ）である。アクチュエータ２０Ｂは、一例として、下部走行体に対して上部旋回体を旋回させるための油圧モータ（旋回用モータ）である。アクチュエータ２０Ａおよびアクチュエータ２０Ｂのそれぞれは、第１ポート２１および第２ポート２２を有する。第１ポート２１および第２ポート２２それぞれは、アクチュエータ２０に対する油の供排口（供給口および排出口）である。第１ポート２１に油が供給され、かつ、第２ポート２２から油が排出されることにより、アクチュエータ２０は一方側に作動する。具体的には例えば、油圧シリンダが伸びる、また例えば、油圧モータ（図示なし）が一方側に回転する。第２ポート２２に油が供給され、かつ、第１ポート２１から油が排出されることにより、アクチュエータ２０は他方側（上記「一方側」とは逆側）に作動する。具体的には例えば、油圧シリンダが縮む、また例えば、油圧モータが他方側に回転する。
【０１０５】
油圧回路１では、それぞれ異なる通路パターンが形成された図１の方向切換弁３０（３０Ａ，３０Ｂ）が適用されている。方向切換弁３０Ａは、第１ポンプ１１および第２ポンプ１２とアクチュエータ２０Ａとの間に配置され、これら第１ポンプ１１および第２ポンプ１２とアクチュエータ２０Ａとに接続されている。方向切換弁３０Ａは、タンク１５に接続されている。方向切換弁３０Ｂは、第１ポンプ１１および第２ポンプ１２とアクチュエータ２０Ｂとの間に配置され、これら第１ポンプ１１および第２ポンプ１２とアクチュエータ２０Ｂとに接続されている。方向切換弁３０Ｂは、タンク１５に接続されている。
【０１０６】
方向切換弁３０Ａは、第１ポンプ１１および第２ポンプ１２と、タンク１５との間において、方向切換弁３０Ｂの下流側に配置されている。方向切換弁３０Ａは、方向切換弁３０Ｂのアンロード通路（４１・４２）を介して第１ポンプ１１および第２ポンプ１２に接続されている。方向切換弁３０Ｂは、方向切換弁３０Ａのアンロード通路（４１・４２）を介してタンク１５に接続されている。
【０１０７】
方向切換弁３０Ａでは、第１パラレル用領域２０１に第１パラレル通路１０１が形成されている。第２パラレル用領域２０２に第２パラレル通路１０２が形成されている。第１タンデム用領域４０１に第１タンデム通路３０１が形成されている。第２タンデム用領域４０２に第２タンデム通路３０２が形成されている。したがって、第１ポンプ１１および第２ポンプ１２の吐出油を、４つの通路（１０１，１０２，３０１，３０２）からブリッジ通路５３を介してアクチュエータ２０Ａに供給することが可能となっている。
【０１０８】
方向切換弁３０Ａでは、第１規制部材用領域７１１に第１規制部材設置部７０１が形成されている。第２規制部材用領域７１２に第２規制部材設置部７０２が形成されている。第３規制部材用領域７１３に第３規制部材設置部７０３が形成されている。第４規制部材用領域７１４に第４規制部材設置部７０４が形成されている。第１規制部材設置部７０１には、ブリッジ通路５３から第１パラレル通路１０１への油の逆流を防ぐチェック弁７１が設けられている。第２規制部材設置部７０２には、ブリッジ通路５３から第２パラレル通路１０２への油の逆流を防ぐチェック弁７２が設けられている。第３規制部材設置部７０３には、ブリッジ通路５３から第１タンデム通路３０１への油の逆流を防ぐチェック弁７３が設けられている。第４規制部材設置部７０４には、ブリッジ通路５３から第２タンデム通路３０２への油の逆流を防ぐチェック弁７４が設けられている。
【０１０９】
ここで、チェック弁７１、チェック弁７２、チェック弁７３、およびチェック弁７４では、それぞれで絞り量を異なるように設定することで、いずれの通路（１０１，１０２，３０１，３０２）からブリッジ通路５３に油が優先的に供給されるかを調整することができる。
【０１１０】
図７乃至図９には、第１パラレル通路１０１、第２パラレル通路１０２、第１タンデム通路３０１および第２タンデム通路３０２の形成状態、第１規制部材設置部７０１、第２規制部材設置部７０２、第３規制部材設置部７０３および第４規制部材設置部７０４の形成状態、チェック弁７１、チェック弁７２、チェック弁７３およびチェック弁７４の配置状態が示されている。通路（１０１，１０２，３０１，３０２）の形成は、例えば切削加工で行われる。同様に、設置部（７０１〜７０４）の形成は、例えば切削加工で行われる。本実施の形態の構成では、第１パラレル通路１０１および第２パラレル通路１０２は、第１規制部材設置部７０１および第２規制部材設置部７０２が弁本体３１の外部から工具で形成された後に、これら第１規制部材設置部７０１および第２規制部材設置部７０２を通して、工具によって形成される。
【０１１１】
また、図６に示すように、方向切換弁３０Ｂでは、第１パラレル用領域２０１に第１パラレル通路１０１が形成されている。第２パラレル用領域２０２に第２パラレル通路１０２が形成されていない。第１タンデム用領域４０１に第１タンデム通路３０１が形成されている。第２タンデム用領域４０２に第２タンデム通路３０２が形成されていない。したがって、第１ポンプ１１のみの吐出油を、２つの通路（１０１，３０１）からブリッジ通路５３を介してアクチュエータ２０Ｂに供給することが可能となっている。
【０１１２】
方向切換弁３０Ｂでは、第１規制部材用領域７１１に第１規制部材設置部７０１が形成されている。第２規制部材用領域７１２に第２規制部材設置部７０２が形成されていない。第３規制部材用領域７１３に第３規制部材設置部７０３が形成されている。第４規制部材用領域７１４に第４規制部材設置部７０４が形成されていない。第１規制部材設置部７０１には、ブリッジ通路５３から第１パラレル通路１０１への油の逆流を防ぐチェック弁７１が設けられている。第３規制部材設置部７０３には、ブリッジ通路５３から第１タンデム通路３０１への油の逆流を防ぐチェック弁７３が設けられている。通路（１０１，３０１）の形成は、例えば切削加工で行われる。同様に、設置部（７０１，７０３）の形成は、例えば切削加工で行われる。
【０１１３】
このように、図１の方向切換弁３０によれば、第１パラレル用領域２０１、第２パラレル用領域２０２、第１タンデム用領域４０１および第２タンデム用領４０２の中から、通路（１０１，１０２，３０１，３０２）を選択的に一つまたは複数形成することにより、ポンプからアクチュエータに油を供給するための複数種類の通路パターンを、選択的に形成できる。方向切換弁３０では、図６乃至図９に示した例の他にも複数の通路パターンを形成できる。例えば、第２パラレル通路１０２のみを形成した場合には、第２ポンプ１２のみからの吐出油を、１つの通路からブリッジ通路５２を介してアクチュエータに供給する通路パターンを形成可能である。
【符号の説明】
【０１１４】
１  建設機械用油圧回路
１１  第１ポンプ
１２  第２ポンプ
１５  タンク
２０，２０Ａ，２０Ｂ  アクチュエータ
２１  第１ポート
２２  第２ポート
３０，３０Ａ，３０Ｂ  方向切換弁
３０ａ  中立位置
３０ｂ  第１作動位置
３０ｃ  第２作動位置
３１  弁本体
３３  スプール孔
４１  第１アンロード通路
４１ａ  上流側第１アンロード通路
４１ｂ  下流側第１アンロード通路
４２  第２アンロード通路
４２ａ  上流側第２アンロード通路
４２ｂ  下流側第２アンロード通路
４５  タンク通路
５１  第１供給通路
５２  第２供給通路
５３  ブリッジ通路
５３ａ  第１ブリッジ通路
５３ｂ  第２ブリッジ通路
６１  第１アクチュエータ通路
６２  第２アクチュエータ通路
７１，７２，７３，７４  チェック弁
８０  スプール
８１  切欠き部
８１ａ  第１アンロード通路用切欠き部
８１ｂ  第２アンロード通路用切欠き部
８３  ランド部
８３ａ  第１アンロード通路用ランド部
８３ｂ  第２アンロード通路用ランド部
８３ｃ  第３第１アンロード通路用ランド部
１０１  第１パラレル通路
１０２  第２パラレル通路
２０１  第１パラレル用領域
２０２  第２パラレル用領域
３０１  第１タンデム通路
３０２  第２タンデム通路
４０１  第１タンデム用領域
４０２  第２タンデム用領域
７０１  第１規制部材設置部
７０２  第２規制部材設置部
７０３  第３規制部材設置部
７０４  第４規制部材設置部
７１１  第１規制部材用領域
７１２  第２規制部材用領域
７１３  第３規制部材用領域
７１４  第４規制部材用領域
【図１】
0006552829.tif 000002
【図２】
0006552829.tif 000003
【図３】
0006552829.tif 000004
【図４】
0006552829.tif 000005
【図５】
0006552829.tif 000006
【図６】
0006552829.tif 000007
【図７】
0006552829.tif 000008
【図８】
0006552829.tif 000009
【図９】
0006552829.tif 000010